(57)【要約】【課題】自由扉にラッチ錠を取付け場合、閉鎖位置にてラッチングを確実に行うことができること。【解決手段】ラッチ枠３内に同一構成の反転式ラッチ５Ａ、５Ｂを、そのラッチングする係止面６が相互に対称となるように組込み、反転式ラッチの係合受け部９に同時に係脱する上下のロッキングピース１５Ａ、１５Ｂを配設し、トリガーヘッド２２からロッキングピースの先端部１５ａに対向するように延在する水平杆部分２３に操作部材用ロック手段２４を備えると共に制御バネに制御されるトリガー部材を錠箱に進退動自在に配設し、開扉した際、トリガー部材は、制御バネのバネ力により所定位置へと変位してロッキングピースをロック状態にするラッチ錠。【選択図】図２
2008280752.tif 000002
【特許請求の範囲】
【請求項１】
錠箱内に延出する操作部材側の駆動片により、ラッチバネのバネ力に抗して、或は第１・第２の磁性体の極性に対応して反発しながらラッチ枠内の反転式ラッチの拘束を解く方向に移動するロッキングピースを備えたラッチ錠に於いて、前記ラッチ枠３内に同一構成の反転式ラッチ５Ａ、５Ｂを、そのラッチングする係止面６が相互に対称となるように組込み、また、上下の反転式ラッチの係合受け部９に同時に係脱する上下のロッキングピース１５Ａ、１５Ｂを配設し、さらに、トリガーヘッド２２からロッキングピースの先端部１５ａに対向するように延在する水平杆部分２３に操作部材用ロック手段２４を備えると共に制御バネに制御されるトリガー部材を錠箱のフロント板に進退動自在に配設し、開扉した際、前記トリガー部材は、前記制御バネのバネ力により所定位置へと位置変位してロッキングピースをロック状態にすることを特徴とするラッチ錠。
【請求項２】
請求項１に於いて、反転式ラッチ５Ａ、５Ｂは、一つのラッチ枠内に配設されていることを特徴とするラッチ錠。
【請求項３】
請求項１に於いて、上下一対のトリガー部材２１Ａ、２１Ｂが、錠箱の上部側と下部側にそれぞれ配設されていることを特徴とするラッチ錠。
【請求項４】
請求項１に於いて、トリガー部材用の制御バネは、バネ力が弱いバネと強いバネの２種類あることを特徴とするラッチ錠。
【請求項５】
請求項１に於いて、上下の反転式ラッチは、中央の基準軸１２を介して一対的に連係されていることを特徴とするラッチ錠。
【発明の詳細な説明】
【技術分野】
【０００１】
本発明は、ラッチ錠に関する。
【背景技術】
【０００２】
特許文献１には、錠箱内に延出する操作部材側の駆動片により、ラッチバネのバネ力に抗してラッチ枠内の反転式ラッチの拘束を解く方向に移動するロッキングピースを備えたラッチ錠が記載されている。
【０００３】
また、特許文献２には、錠箱内に延出する操作部材側の駆動片により、第１・第２の磁性体の極性に対応して反発しながらラッチ枠内の反転式ラッチの拘束を解く方向に移動するロッキングピースを備えたラッチ錠が記載されている。
【０００４】
これらの特許文献１、２に記載のラッチ錠は、ラッチ枠内に組み込んだ反転式のラッチに対して、単数又は複数個のロッキングピースでラッチを拘束し又は拘束を解くものの、自由扉（基端部が枢着され、自由端部にラッチを有する扉のこと）に適用することができない。そこで、現在、反転式のラッチを用いることを前提として、自由扉に適用することができるラッチ錠の出現が期待されている。その場合、閉扉時にラッチングを阻害しない工夫、スペースの有効活用等が望まれる。
【特許文献１】特開平１１−１４１２０７号公報
【特許文献２】特開２００４−２７０１３２号公報
【発明の開示】
【発明が解決しようとする課題】
【０００５】
本発明の第１の目的は、自由扉にラッチ錠を取付け場合、閉鎖位置にてラッチングを確実に行うことができることである。第２の目的は、錠箱内の空間を有効的に活用することである。第３の目的は、反転式ラッチに対する係合部が回転対称であって、各係合部が、カム機能を有する傾斜表面とアールを有する平表面とから成る受け具に対応することである。その他、付随的な目的として、ラッチの突出時、上下のラッチの突出が一緒に共働して突出することである。
【課題を解決するための手段】
【０００６】
本発明のラッチ錠は、錠箱内に延出する操作部材側の駆動片により、ラッチバネのバネ力に抗して、或は第１・第２の磁性体の極性に対応して反発しながらラッチ枠内の反転式ラッチの拘束を解く方向に移動するロッキングピースを備えたラッチ錠に於いて、前記ラッチ枠３内に同一構成の反転式ラッチ５Ａ、５Ｂを、そのラッチングする係止面６が相互に対称となるように組込み、また、上下の反転式ラッチの係合受け部９に同時に係脱する上下のロッキングピース１５Ａ、１５Ｂを配設し、さらに、トリガーヘッド２２からロッキングピースの先端部１５ａに対向するように延在する水平杆部分２３に操作部材用ロック手段２４を備えると共に制御バネに制御されるトリガー部材を錠箱のフロント板に進退動自在に配設し、開扉した際、前記トリガー部材は、前記制御バネのバネ力により所定位置へと位置変位してロッキングピースをロック状態にすることを特徴とする。
【発明の効果】
【０００７】
（ａ）自由扉にラッチ錠を取付け場合、閉鎖位置にてラッチングを確実に行うことができる（ラッチング機能を阻害しない）。例えば操作部材がプッシュ・プル方式である場合、ハンドルをプッシュしながら閉扉操作しても、上下のラッチが同時に受け具の係入穴に入り込まない限り、前記係入穴を形成する係合部(側壁部分の傾斜状表面とアール乃至平表面)に上下の反転式ラッチの先端部がそれぞれ衝突状態に摺接しても、上下の反転式ラッチは、反転することなく、そのままの姿勢を維持する。したがって、上下の反転式ラッチは、常にラッチング可能な態勢で受け具の係入穴に係合する。
（ｂ）一つのラッチ枠内に複数個のラッチを組み込むことにより、錠箱内の空間を有効的に活用することができる。
（ｃ）例えば左右の側壁部分の係合部が回転対称であって、各係合部が、カム機能を有する傾斜表面とアールを有する平表面とから成る受け具に対応することができる。
【発明を実施するための最良の形態】
【０００８】
以下、図１乃至図１１に示す本発明を実施するための最良の形態（第１実施例）により説明する。
【０００９】
（１）発明の実施の環境
Ｘはラッチ錠で、このラッチ錠Ｘは、扉Ｙに取付けられる錠本体１と、この錠本体のラッチに対向するように戸枠Ｚの縦枠に固定される受け具５０とから成る。扉Ｙは、その基端部が戸枠Ｚの縦枠に蝶番を介して軸支され、水平方向に揺動する。扉Ｙの自由端部に錠本体１が固定されている。
【００１０】
まず、錠本体１の構成を説明する。２は扉Ｙにねじ等で取り付けられた錠箱で、周知のように、錠箱２は、ケース身２ａと、ケース蓋２ｂから構成されている。錠箱２は、フロント板を有し、このフロント板の中央部には、不番の上下一対のラッチ用開口が形成されている。また、フロント板の上下端部には、不番の固着具用の取付け孔が形成されている。さらに、フロント板の上下端部寄りの部位には、不番の上下一対のトリガー用開口が形成されている。なお、錠箱２のケース身２ａ及びケース蓋２ｂには、ラッチ、トリガー部材及び係合作用片をそれぞれ案内する案内水平長孔や案内垂直長孔が適宜に形成されている。ここでは、細部的事項の符号や説明は割愛し、主な部材について説明する。
【００１１】
（２）ラッチ枠
符号３は、錠箱２内の前方の中央部に固設された縦断面コ字状のラッチ枠で、このラッチ枠３の上下に位置する水平対向壁には、ロッキングピース１５Ａ、１５Ｂの先端部１５ａ、１５ａを受け入れる切欠状の開口が形成されている。また、水平対向壁に直交する垂直壁の内面には、上下一対のバネ端支持部が突出形成されている。
【００１２】
本実施例では、ラッチ枠３は、錠箱２内の前方中央部に１個配設され、その内部は、フロント板の中心部からラッチ枠３の垂直壁の中心部まで延在する水平案内板４で区分けされている。
【００１３】
（３）ラッチ
符号５Ａ、５Ｂは、錠箱２の前方中央部に配設された上下一対のラッチである。これらのラッチ５Ａ、５Ｂは、それぞれ反転式のラッチであり、その後端部がラッチ枠３内に収まるようにフロント板の上下のラッチ用開口にそれぞれ配設されている。しかも、図１乃至図４で示すように、これらのラッチ５Ａ、５Ｂは、扉の自由端面から見た場合、或は図４の水平断面説明図を平面視から見た場合を基準にすると、ラッチングする係止面６が相互に対称に位置するように配設されている。
【００１４】
したがって、図１では、上位のラッチ５Ａの係止面６は向こう側（図４では上位のラッチ５Ａはハッチングされている）に位置し、一方、下位のラッチ５Ｂの係止面６は手前側（図４では下位のラッチ５Ｂは仮想線で示されている）に位置している。
【００１５】
ところで、反転式のラッチの構造に関しては、例えば特開平８−１００５５９号公報、特許公開平９−３２５２４８号公報、特許公開平１０−３１１１７３号公報、特開平１１−１４１２０７号公報、特許公開２００３−７４２４５号公報等に記載されているように、当業者にとって周知事項である。
【００１６】
したがって、ここでは、周知事項に関しては簡単に説明する。反転式のラッチは、平面形状がほぼ菱形に形成され、前述したラッチングの係止面６、受け具５０の係合部５１に対する傾斜面７、ストッパー用突起８、係合受け部９等を有している。上下のラッチ５Ａ、５Ｂは、それぞれラッチばね１１により錠箱２のフロント板から突出する方向に付勢されている。したがって、普通一般に、反転式のラッチは、扉Ｙの開閉時、受け具の係合部に摺接すると、ラッチの後端部（内端部）に嵌め込まれた平面門形形状のラッチ受け１０及びラッチばね（圧縮コイルばね）１１を介して反転かつ進退動する。
【００１７】
ところで、本実施例の上下のラッチ５Ａ、５Ｂは、中央部に内設された垂直の基準軸１２を介して一対的、かつ回転可能に連係されている（新規事項）。したがって、本実施例では、前述した水平案内板４には、垂直の基準軸１２用の水平案内長孔４ａが形成されている。このように構成すると、上下のラッチ５Ａ、５Ｂは、共働して突出するという利点がある。
【００１８】
また、ラッチ５Ａ、５Ｂとラッチ受け３との間はラッチばね１１で押し付けられて組み付けられた状態にあるが、相対的な回動（ラッチ受けに対するラッチの反転）は許容されている。また、ラッチ５Ａ、５Ｂは、閉扉時から開扉時の場合、ラッチばね１１のバネ力に抗して反転しながら後退した後は、前記ラッチばね１１のバネ力により、当初の位置へと戻る。さらに、ラッチ５Ａ、５Ｂは、開扉時から閉扉時の場合、例えばハンドルをプッシュしながら閉扉操作しても、上下のラッチ５Ａ、５Ｂが同時に受け具５０の係入穴５２に入り込まない限り、前記係入穴を形成する係合部(側壁部分の傾斜状表面５１aとアール乃至平表面５１b)５１にそれらの先端部がそれぞれ衝突状態に摺接しても、上下の反転式ラッチは、反転することなく、そのままの姿勢を維持する。
【００１９】
（４）上下のロッキングピース
錠箱２内のラッチ枠３の上方と下方の近傍には、正面視に於いて、板材をそれぞれＴ字形状（下方は逆様のＴ字形状）に折り曲げて形成した上下一対のロッキングピース１５Ａ、１５Ｂが、上下一対の固定軸（例えば固定枢軸）１６及び一つの可動連結軸１７を介して、鋏揺動可能に配設されている。そして、その親指状の先端部１５ａが、ラッチ枠３の上部水平壁と下部水平壁の各開口を介して各ラッチの係合受け部９に選択的に係合できるようにしている。
【００２０】
また、ロッキングピース１５Ａ、１５Ｂの先端部１５ａから略水平状態に延在する小指状の後端部１５ｂは、係合作用片の押圧係合部に当接している。
【００２１】
さらに、ロッキングピース１５Ａ、１５Ｂは略中央部に垂直方向に延びるアーム部１５ｃを有し、重なり合うアーム部１５ｃの各先端部は、不番の長孔及び可動連結軸１７を介して互いに連結枢着されている。
【００２２】
上記構成に於いて、上下のロッキングピースは、閉扉時のみならず、開扉時においても、その先端部１５ａが上下のラッチ５Ａ、５Ｂの各係合受け部９に係合していることから、操作部材６０を操作しない限り、常に上下のラッチ５Ａ、５Ｂを同時に拘束している。
【００２３】
付言すると、後述する上下の係合作用片３１Ａ、３１Ｂが、それらの作用バネ３２により、それぞれ初期位置に存在している場合に於いて、上下一対の枢軸（実施例によってはガイド軸）１６に少なくとも１つ巻装したロッキングバネ１８のバネ力が、上下のロッキングピース１５Ａ、１５Ｂをそれぞれラッチに係合する方向に付勢していることから、いずれかの係合作用片が内外いずれかの操作部材の操作力により、その作用バネのバネ力に抗して所定方向へ移動しない限り、上下のラッチ５Ａ、５Ｂの各係合受け部９は、上下のロッキングピース１５Ａ、１５Ｂの各先端部１５ａによってそれぞれ係止されている。
【００２４】
図１は、閉扉時に於いて、受け具（ストライク板）５０の係入穴５２に突出状態で係入された上下のラッチ５Ａ、５Ｂは、上下のロッキングピース１５Ａ、１５Ｂの各先端部１５ａにより、同時に突出位置に拘束される状態を示し、一方、図２は、開扉時に於いて、受け具（ストライク板）５０の係入穴５２から抜けた上下のラッチ５Ａ、５Ｂは、上下のロッキングピース１５Ａ、１５Ｂの各先端部１５ａにより、同時に突出位置に拘束される状態であると共に、操作部材の操作力により、上下のロッキングピース１５Ａ、１５Ｂがロック解除の方向へ回転しないように、さらに、次に説明するトリガー部材のロック手段２４を介してロックされている状態を示す。
【００２５】
（５）トリガー部材
符号２１Ａ、２１Ｂは、錠箱２の前方の上下端部に配設された上下一対のトリガー部材である。これらのトリガー部材２１Ａ、２１Ｂは、フロント板の上下のトリガー用開口にそれぞれ進退動自在に配設されている。上下のトリガー部材２１Ａ、２１Ｂは同一構成なので、ここでは、図１の上方のトリガー部材２１Ａを参照にして説明する。
【００２６】
さて、本実施例のトリガー部材２１Ａは、断面コ字形状のトリガーヘッド２２と、このトリガーヘッド２２からロッキングピース１５Ａの先端部１５ａに対向するように延在する水平杆部分２３と、この水平杆部分２３に可動的（スライド可能）に設けられ、かつ扉Ｙを開いた状態で操作部材６０の操作を不可とするようにロッキングピース１５Ａに係合して該ロッキングピース１５Ａをロックする操作部材用ロック手段２４と、このロック手段２４の位置を制御するように該ロック手段２４に対して錠箱２内に配設された複数個の制御バネ２５、２６とから成る。なお、制御バネ２５、２６は、本発明の目的を考慮して、前側制御バネ２５は、後側の制御バネ２６よりも弱い（扉の開閉の際におけるロック手段２４の位置変位のタイミングを考慮）。
【００２７】
しかして、前記トリガーヘッド２２には受け具５０のカム機能を有する係合部５１と摺接する水平のローラ２７が軸支されている。また、前記ロック手段２４は、図５で示すように、ドーナツ形状、或は五円玉形状をしており、水平杆部分２３の後端部に外嵌合し、その外周面２７ａはロッキングピース１５Ａの背側の係合部（係合面）１９に直接係脱可能である。
【００２８】
さらに、複数個の制御バネ２５、２６は、トリガーヘッド２２とロック手段２４との間に介在する前側の制御バネ２５と、ロック手段２４と錠箱内部の後端部側に固定したバネ端受け２８との間に介在する後側の制御バネ２６に区分けされ、前後の制御バネ２５、２６のバネ力は適宜に設定されている。
【００２９】
なお、特に図示しないが、円盤状のロック手段２４の外周面の適宜箇所には、錠箱２のケース身２ａ又は／及びケース蓋２ｂに形成した水平案内長孔に係合するガイド突起が設けられている。また、ロック手段２４は水平杆部分２３の後端部から外れないように適宜に装着されている。
【００３０】
上記構成に於いて、ロック手段２４は、扉の開閉時に於いて、トリガーヘッド２２のローラ２７が受け具５０の係合部５１に圧接すると、トリガー部材２１Ａが後側の制御バネ２６のバネ力に抗して錠箱２の内部へと後退動することから、外周面２７ａはロッキングピース１５Ａの背側の係合部１９から外れる。本実施例では、受け具５０のトリガーヘッド２２のローラ２７を受ける部分が若干膨出しているので、図１で示すように、扉の閉戸時、上下のトリガー部材２１Ａ、２１Ｂは、同時に錠箱２の内部へと後退動して、上下のロック手段２４は、上下のロッキングピース１５Ａ、１５Ｂの各背側係合部１９、１９から離れる。
【００３１】
したがって、仮施錠状態にある上下のラッチ５Ａ、５Ｂを解錠させる場合には、図示しないシリンダ錠に差し込んだ鍵、サムターン方式のカム部材、回転式の操作部材、プッシュ・プル式の操作部材等の操作力により、係合作用片を作用バネのバネ力に抗して所定方向へと移動させ、かつ前記係合作用片に連係する一組のロッキングピース１５Ａ、１５Ｂを、上下の固定枢軸１６を基準にして鋏揺動させ、それらの先端部１５ａを上下のラッチ５Ａ、５Ｂの係合受け部９から係合離脱させる必要がある。
【００３２】
本実施例では、図１の閉扉状態に於いて、扉Ｙを開く場合には、プッシュ・プル式の操作部材６０を、例えばプルする（引く）。そうすると、操作部材６０の軸部に連係するように設けられ、かつ錠箱２の側壁に形成した開口６１を介して錠箱２内に延出する駆動片６２が所定方向（実施例では垂直方向）に移動して、一方の係合作用片が一つのロッキングピース（１５Ａ、１５Ｂ）の後端部１５ｂを押圧する方向へとスライドする。そうすると、上下のロッキングピース１５Ａ、１５Ｂは、上下の固定枢軸１６を基準にして鋏揺動する。その結果、前述したように、上下のラッチ５Ａ、５Ｂは、仮施錠状態から解かれる。
【００３３】
これに対して、図２で示す開扉の際、図示しない操作者は、操作部材６０を、例えば手前側にプルする（引く）場合には、普通一般に操作部材６０をプルした状態で扉Ｙを手前へと引っ張る。そして、プルの状態が終わり、操作部材６０を手から離す。しかして、前記プルの状態が終わるや否や、係合作用片は作用バネのバネ力により初期位置へと戻るので、上下のロッキングピース１５Ａ、１５Ｂは上下の固定枢軸１６を基準にして鋏揺動し、それらの先端部１５ａは上下のラッチ５Ａ、５Ｂの係合受け部９に係合する（ラッチを拘束する）。
【００３４】
一方、トリガーヘッド２２のローラ２７が受け具５０の係合部に圧接しながら外へと抜け出すと、トリガー部材２１Ａは後側の制御バネ２６のバネ力により錠箱２のフロント板側に前進することから、そのロック手段２４は後方から前方へと位置変位する。その結果、ロック手段２４の外周面２７ａはロッキングピース１５Ａの背側の係合部１９へと入り込んで、該係合部１９に係合し、ロッキングピース１５Ａを完全にロックする。それ故に、開扉時には操作部材６０を操作することができない。
【００３５】
（６）係合作用片
符号３１Ａ、３１Ｂは、錠箱２の内部の後方側に配設した上下一組の係合作用片である。図７を参照にして、上下の係合作用片３１Ａ、３１Ｂ、上下の作用バネ（戻しバネ）３２を説明する。上下の係合作用片３１Ａ、３１Ｂは同一構成なので、ここでは、上方の係合作用片３１Ａを基準にして説明する。
【００３６】
３３は中央部の外面にガイド突起３３ａを有する垂直板、３４は垂直板３３の上端部に交差方向に連設し、かつ内面に小突起状のバネ端支持部３４ａを有する水平板、一方、３５は垂直板３３の下端部に端面コ字形状に突出形成された係合部である。
【００３７】
しかして、前記係合部３５の一つの水平壁は、作用バネ３２の一端部を受ける小突起状のバネ端支持部３５ａを有する。また、係合部３５の他の水平壁は、駆動片６２と当接する係合面３５ｂを有すると共に、その先端部には、錠箱２の側壁に形成した垂直案内長孔と係合する部分となっている。
【００３８】
上記構成の上下の係合作用片３１Ａ、３１Ｂは、図１及び図２で示すように、端面コ字形状の係合部３５が、互いに二枚の駆動片６２を上下方向で挟むように錠箱内に摺動可能に配設されている。そして、上位の作用バネ３２は、上位の係合作用片３１Ａの水平板３４と相手方に相当する下位の係合作用片３１Ｂの係合部３５の間に配設され、一方、下位の作用バネ３２は、下位の係合作用片３１Ｂの水平板３４と相手方に相当する上位の係合作用片３１Ａの係合部３５の間に配設されている。
【００３９】
（７）受け具
図４、図８乃至図１０は、錠本体１に対応する受け具５０の一例を示す。本実施例の錠本体１は、一つのラッチ枠３内に上下方向に位置する同一構成の反転式ラッチ５Ａ、５Ｂを、そのラッチングする係止面６が相互に対称となるように組込んでいることから、揺動する扉Ｙの自由端部の中央に対応する箇所、つまり、受け具５０の中央部に一つの垂直長孔状の係入穴５２が形成されている。したがって、係入穴５２の左右の側壁部分がラッチ用の係合部５１である。
【００４０】
ところで、前記左右の係合部５１は、それぞれ回転対称であって、かつ、上下に区分された二つの係合部分から成っている。すなわち、図８の１０−１０線に基づく断面図の図１０等を参照に説明すると、一方（左側）の係合部分５１ａはラッチの係止面(先端)６が摺接する傾斜状のカム面（傾斜状表面）であり、他方（右側）の係合部分５１ｂはラッチの傾斜面７が摺接するアングル形のカム面（アールを有する平表面）となっている。しかも、前記一方の傾斜状表面の係合部分５１ａは、扉の揺動方向の他方のアールを有する平表面の係合部分５１ｂよりも底壁５３側に多少落ち込んでいる。なお、左右の係合部５１は、それぞれ回転対称であることから、上下のラッチ５Ａ、５Ｂが係入穴５２に落ち込んだ（進入）ときに各ラッチ５Ａ、５Ｂの係止面６がそれぞれ同時に対向する垂直受け面５２ａ、５２ａも対角線方向の内面となる。
【００４１】
また、本実施例の受け具５０は、その表面５０ａの上下端部寄りの部位に、上下のトリガー部材２１Ａ、２１Ｂの各ローラ２７をそれぞれ受ける曲面状の膨出部分５４が形成されている。なお、本発明の受け具５０の係入穴５２は、中央部に一つ形成されているものの、上下のラッチの位置如何（設計如何）によっては、中央部に上下方向に２個形成しても良い。
【実施例】
【００４２】
本実施例は、錠箱内に延出する操作部材側の駆動片により、ラッチバネのバネ力に抗してラッチ枠内の反転式ラッチの拘束を解く方向に回転するロッキングピースを備えたラッチ錠に適用したが、前記ラッチバネを磁性体に置換することも可能である。
【００４３】
例えばロッキングピースの背側に水平方向にＳ極とＮ極の第１磁性体を貼り付け、一方、所要の間隙を有して錠箱の底壁内面又は／及び上壁内面に水平方向にＳ極とＮ極の第２磁性体を配設し、係合作用片の押圧力により、ロッキングピース１５Ａ、１５Ｂが係合解除の方向に離れるとき（回転方式や昇降動方式でラッチの拘束を解くとき）、これらのロッキングピース１５Ａ、１５Ｂは、前記第１磁性体と第２磁性体の極性に対応して反発しながらラッチ枠内の反転式ラッチの拘束を解く方向に移動するように構成しても良い。
上記の置換例の場合には、固定軸１６を垂直長孔に案内される可動軸とする。また、上下のトリガー部材２１Ａ、２１Ｂの水平杆部分２３の形状は、第１磁性体と第２磁性体の間を水平移動することができる細長状の板や杆に形成する。
【００４４】
したがって、磁性体の実施例の場合、すなわち、第１・第２の磁性体の極性に対応して反発しながらラッチ枠内の反転式ラッチの拘束を解く方向に移動するロッキングピースを備えた実施例の場合には、開扉時に於いて、ロッキングピース１５Ａ、１５Ｂの先端部１５ａが上下のラッチ５Ａ、５Ｂの係合受け部９をそれぞれ拘束（係止）したとき、第１磁性体と第２磁性体の隙間に突起状の操作部材用ロック手段２４が入り込む（割り込む）。
【００４５】
また、本実施例の係合作用片３１Ａ、３１Ｂは、錠箱２に形成した垂直案内長孔に係合するガイド突起を介して上下方向に所定量移動するが、もちろん、設計如何によっては水平方向に移動させるようにしても良い。また、係合作用片３１Ａ、３１Ｂの形態（構成）も任意に設計変更し得る事項である。さらに、前述した錠箱２内に延出する駆動片６２は、本実施例では上下方向に移動するが、係合作用片が水平方向に移動する場合には、水平方向に移動する。したがって、係合作用片３１Ａ、３１Ｂ及び駆動片６２の移動方向は、発明の本質的事項ではない。
【００４６】
さらに、トリガー部材２１Ａ、２１Ｂの水平杆部分２３と、この水平杆部分２３に設けたロック手段２４との関係について付言すると、本実施例では、ロック手段２４は水平方向にスライドする可動型であるが、トリガー部材の進退動に応じて周平方向に回転する可動型であっても良い。
【００４７】
後者の場合の実施例としては、特に図示しないが、水平杆部分２３を螺杆状態に形成し、この水平螺杆部分２３に螺合し、かつ外周の適宜箇所にロッキングピース１５Ａ、１５Ｂの背側の係合部分９に係脱する係合突起を有する回転板形式のロック手段２４を装着する。また、水平杆部分２３をラック形式にして、この水平ラック杆部分２３に螺合し、かつ外周の適宜箇所にロッキングピース１５Ａ、１５Ｂの背側の係合部分９に係脱する係合突起を有するピニオン部材を適宜に軸支しても良い。また、前記ピニオン部材に代えて、く字形状のクランクの中央部を適宜に軸支して、このクランクの基端部を水平杆部分２３に適宜に軸支等し、一方、クランクの自由端部をロッキングピース１５Ａ、１５Ｂの背側の係合部分９に係脱させることもできる。このようにトリガー部材２１Ａ、２１Ｂの水平杆部分２３に直接又は間接的に可動のロック手段２４を設けても良い。
【００４８】
加えて、水平杆部分２３とロック手段２４との関係は、ロッキングピース１５Ａ、１５Ｂの背側の係合部分９やロック手段２４の形状を設計変更して、固定式にすることも理論上可能である。
【産業上の利用可能性】
【００４９】
本発明は、主に錠前や建具の業界で利用される。
【図面の簡単な説明】
【００５０】
図１乃至図１１は本発明の最良の実施例を示す各説明図。
【図１】閉扉時の概略の縦断面説明図。
【図２】開扉時の概略の縦断面説明図。
【図３】本発明の各部材の関係を概念的に示す説明図。
【図４】閉扉時の概略の横断面説明図（平面視）。
【図５】要部（ロック手段）の説明図。
【図６】各部材（ラッチ、ロッキングピース、係合作用片等）の説明図。
【図７】要部（係合作用片、操作部材側の駆動片）の説明図。
【図８】受け具の正面図。
【図９】左側面図。
【図１０】図８の１０−１０線断面図。
【図１１】受け具の係合部とラッチとの摺接関係を示す概略説明図。
【符号の説明】
【００５１】
Ｘ…ラッチ錠、Ｙ…扉（自由扉）、Ｚ…戸枠、１…錠本体、２…錠箱、３…ラッチ枠、４…水平案内板、５Ａ、５Ｂ…ラッチ、６…ラッチの係止面、７…ラッチの傾斜面、８…ストッパー用突起、９…係合受け部、１０…ラッチ受け、１１…ラッチばね、１２…垂直の基準軸、１５Ａ、１５Ｂ…ロッキングピース、１５ａ…先端部、１５ｂ…後端部、１５ｃ…アーム部、１６…軸、１７…可動連結軸、１８…ロッキングバネ、１９…背側の係合部、２１Ａ、２１Ｂ…トリガー部材、２２…トリガーヘッド、２３…水平杆部分、２４…操作部材用ロック手段、２５…弱い制御バネ、２６…強い制御バネ、２７…ローラ、２７ａ…外周面、３１Ａ、３１Ｂ…係合作用片、３２…作用バネ(戻しバネ)、３３…垂直板、３４…水平板、３５…係合部、３５ａ…バネ端支持部、５０…受け具、５０ａ…受け具の表面、５１…係合部、５１ａ…係合部分（傾斜状表面）、５１ｂ…係合部分（平表面）、５２…係入穴、５２ａ…垂直受け面、５３…底壁、５４…膨出部分、６０…操作部材、６１…開口、６２…駆動片。
【図１】
2008280752.tif 000003
【図２】
2008280752.tif 000004
【図３】
2008280752.tif 000005
【図４】
2008280752.tif 000006
【図５】
2008280752.tif 000007
【図６】
2008280752.tif 000008
【図７】
2008280752.tif 000009
【図８】
2008280752.tif 000010
【図９】
2008280752.tif 000011
【図１０】
2008280752.tif 000012
【図１１】
2008280752.tif 000013
【手続補正書】
【提出日】平成19年6月4日(2007.6.4)
【手続補正１】
【補正対象書類名】明細書
【補正対象項目名】００２７
【補正方法】変更
【補正の内容】
【００２７】
しかして、前記トリガーヘッド２２には受け具５０と摺接する水平のローラ２７が軸支されている。また、前記ロック手段２４は、図５で示すように、ドーナツ形状、或は五円玉形状をしており、水平杆部分２３の後端部に外嵌合し、その外周面はロッキングピース１５Ａの背側の係合部（係合面）１９に直接係脱可能である。
【手続補正２】
【補正対象書類名】明細書
【補正対象項目名】００３０
【補正方法】変更
【補正の内容】
【００３０】
上記構成に於いて、ロック手段２４は、扉の開閉時に於いて、トリガーヘッド２２のローラ２７が受け具５０に圧接すると、トリガー部材２１Ａが後側の制御バネ２６のバネ力に抗して錠箱２の内部へと後退動することから、ロック手段の外周面はロッキングピース１５Ａの背側の係合部１９から外れる。本実施例では、受け具５０のトリガーヘッド２２のローラ２７を受ける部分が若干膨出しているので、図１で示すように、扉の閉戸時、上下のトリガー部材２１Ａ、２１Ｂは、同時に錠箱２の内部へと後退動して、上下のロック手段２４は、上下のロッキングピース１５Ａ、１５Ｂの各背側係合部１９、１９から離れる。
【手続補正３】
【補正対象書類名】明細書
【補正対象項目名】００３４
【補正方法】変更
【補正の内容】
【００３４】
一方、トリガーヘッド２２のローラ２７が受け具５０に圧接しながら外へと抜け出すと、トリガー部材２１Ａは後側の制御バネ２６のバネ力により錠箱２のフロント板側に前進することから、そのロック手段２４は後方から前方へと位置変位する。その結果、ロック手段２４の外周面はロッキングピース１５Ａの背側の係合部１９へと入り込んで、該係合部１９に係合し、ロッキングピース１５Ａを完全にロックする。それ故に、開扉時には操作部材６０を操作することができない。
【手続補正４】
【補正対象書類名】明細書
【補正対象項目名】００４６
【補正方法】変更
【補正の内容】
【００４６】
さらに、トリガー部材２１Ａ、２１Ｂの水平杆部分２３と、この水平杆部分２３に設けたロック手段２４との関係について付言すると、本実施例では、ロック手段２４は水平方向にスライドする可動型であるが、トリガー部材の進退動に応じて周方向に回転する可動型であっても良い。